(57)【要約】【課題】誤った姿勢で挿入されたカードの再挿入に要する時間を短縮化する技術を提供する。【解決手段】カード処理ユニット５は、表面９ａにエンボス９１が設けられたカード９を挿入することが可能であって、カード９が挿入される挿入口５１と、爪部５６と、を備える。爪部５６は、挿入口５１への正しい挿入姿勢である第１姿勢でカード９が挿入されたときにはエンボス９１が引っ掛からず、第１姿勢から上記表面９ａの向きを変えずに前後を逆にした第２姿勢でカード９が挿入されたときにはエンボス９１が引っ掛かる。【選択図】図４
2018156170.tif 000002
【特許請求の範囲】
【請求項１】
表面にエンボスが設けられたカードを挿入することが可能なカード処理ユニットであって、
前記カードが挿入される挿入口と、
前記挿入口への正しい挿入姿勢である第１姿勢で前記カードが挿入されたときには前記エンボスが引っ掛からず、前記第１姿勢から前記表面の向きを変えずに前後を逆にした第２姿勢で前記カードが挿入されたときには前記エンボスが引っ掛かる、爪部と、
を備える、カード処理ユニット。
【請求項２】
前記爪部は、前記挿入口の幅方向において片側へ偏在している、請求項１に記載のカード処理ユニット。
【請求項３】
前記挿入口への前記カードの挿入方向において、前記爪部は、前記カードの半分が前記挿入口内に挿入されるまでに前記エンボスが引っ掛かる位置に配されている、請求項１又は２に記載のカード処理ユニット。
【請求項４】
前記挿入口から挿入された前記カードの前記表面の向きが前記第１姿勢のときの向きと逆であったとき、前記第１姿勢となる様に前記カードを反転させる反転部と、
前記第１姿勢のときの前記カードからカード情報を読み取ることが可能な読取部と、
を更に備える、請求項１〜３の何れかに記載のカード処理ユニット。
【請求項５】
前記カードは、磁気的に前記カード情報が記録された磁気記録部を有し、
前記読取部が前記磁気記録部を正しく検知することができなかった場合、前記反転部によって前記カードを反転させる、請求項４に記載のカード処理ユニット。
【請求項６】
前記カードは、前記読取部に接続されるＩＣ接点を有し、
前記読取部が前記ＩＣ接点を検知することができなかった場合、前記反転部によって前記カードを反転させる、請求項４に記載のカード処理ユニット。
【請求項７】
請求項１〜６の何れかに記載のカード処理ユニットを備える、券売機。
【発明の詳細な説明】
【技術分野】
【０００１】
本発明は、挿入時のカードの姿勢を規制する技術に関する。
【背景技術】
【０００２】
クレジットカードでの決済が可能な券売機には、挿入口から挿入されたカードを取り込み、内部に設けられたカードリーダでカード情報を読み取るものが多い。又、従来の券売機では、決済に使用可能なカードが磁気カードに限定されるものが多かった。
【０００３】
近年、カードのセキュリティを向上させるべく、カードのＩＣ（Integrated  Circuit）化が進んでいる。このため、ＩＣカードの読取り技術（例えば、特許文献１又は２参照）を券売機にも適用することが提案されている。特に接触式のＩＣカードの読取りが可能な券売機では、ＩＣカードの表面に設けられたＩＣ接点にカードリーダの接続端子を接触させることにより、当該ＩＣ接点を通じてＩＣカードの情報が読み取られる。
【０００４】
磁気カードや接触式のＩＣカードをカードリーダで読み取る場合、これらのカードを挿入口に挿入するときの挿入姿勢が重要であり、カードが正しい姿勢で挿入された場合のみ、カードリーダによるカード情報の読取りが正しく行われる。
【先行技術文献】
【特許文献】
【０００５】
【特許文献１】特開２０１５−１９５０２５号公報
【特許文献２】特許第４５３０６３４号公報
【発明の概要】
【発明が解決しようとする課題】
【０００６】
一方、カードが誤った姿勢で挿入された場合には、カードリーダはカード情報を正しく読み取ることができず、エラーとなる。カードが誤った姿勢で挿入された例として、磁気カードが前後を逆にして挿入された場合には、磁気ストライプに記録されている情報列をカードリーダで読み取ることができずにエラーとなる。又、他の例として、ＩＣカードが前後を逆にして挿入された場合には、カードリーダの接続端子をＩＣ接点に接触させることができずにエラーとなる。
【０００７】
従来の券売機では、カードが誤った姿勢で取り込まれた場合、そのカードを挿入口から一旦排出し、カードの再挿入を利用者に促す必要があった。この様な再挿入に要する時間は、カード情報を正しく読み取るまでの時間を長引かせる原因となる。
【０００８】
そこで本発明の目的は、誤った姿勢で挿入されたカードの再挿入に要する時間を短縮化する技術を提供することである。
【課題を解決するための手段】
【０００９】
本発明に係るカード処理ユニットは、表面にエンボスが設けられたカードを挿入することが可能であって、カードが挿入される挿入口と、爪部と、を備える。挿入口への正しい挿入姿勢である第１姿勢でカードが挿入されたときには、爪部にはエンボスが引っ掛からず、第１姿勢から上記表面の向きを変えずに前後を逆にした第２姿勢でカードが挿入されたときには、爪部にエンボスが引っ掛かる。
【００１０】
上記カード処理ユニットによれば、挿入口にカードが正しい第１姿勢で挿入される様に、当該カードの姿勢を規制することができる。即ち、カードが第１姿勢で挿入されたときには、エンボスには爪部が引っ掛かることがなく、カードの通過が許可される。一方、カードが誤った第２姿勢で挿入されたときには、エンボスに爪部が引っ掛かり、カードの通過が阻止される。従って、利用者は、カードを誤った第２姿勢で挿入口に挿入したことを挿入時に認識することができ、即座にカードを正しい第１姿勢に変えて挿入し直すことができる。
【００１１】
上記カード処理ユニットにおいて、爪部は、挿入口の幅方向において片側へ偏在していることが好ましい。
【００１２】
上記カード処理ユニットにおいて、挿入口へのカードの挿入方向において、爪部は、カードの半分が挿入口内に挿入されるまでにエンボスが引っ掛かる位置に配されていることが好ましい。この構成によれば、カードの通過が阻止されたとき、カードは、その半分以上が挿入口から外に出た状態で止まることになる。よって、利用者にとって、挿入口からのカードの抜取りが容易になる。
【００１３】
上記カード処理ユニットは、反転部と、読取部と、を備えていることが好ましい。ここで、反転部は、挿入口から挿入されたカードの上記表面の向きが第１姿勢のときの向きと逆であったとき、第１姿勢となる様にカードを反転させる。読取部は、第１姿勢のときのカードからカード情報を読み取ることが可能である。この構成によれば、カード９が、第１姿勢から前後を逆にすると共に裏面を上向きにした第３姿勢で挿入された場合でも、カードを反転させることでカードの姿勢を正しい第１姿勢に変化させることができ、且つ、第１姿勢となったカードに対するカード情報の読取りを実行することができる。よって、カードを利用者に返却して再挿入を促す必要がなくなる。
【００１４】
一例として、カードは、磁気的にカード情報が記録された磁気記録部を有し、読取部が磁気記録部を正しく検知することができなかった場合、反転部によってカードを反転させる。他の例として、カードは、読取部に接続されるＩＣ接点を有し、読取部がＩＣ接点を検知することができなかった場合、反転部によってカードを反転させる。
【００１５】
本発明に係る券売機は、上記カード処理ユニットを備える。
【発明の効果】
【００１６】
本発明によれば、誤った姿勢で挿入されたカードの再挿入に要する時間を短縮化することができる。
【図面の簡単な説明】
【００１７】
【図１】本発明のカード処理ユニットを適用することが可能な券売機の構成を示したブロック図である。
【図２】券売機を概念的に示した正面図である。
【図３】第１実施形態に係るカード処理ユニットの構成を示した概念図である。
【図４】カード処理ユニットの要部を示した（Ａ）斜視図及び（Ｂ）縦断面図である。
【図５】（Ａ）カードが挿入される挿入口の拡大正面図、及び（Ｂ）爪部を底面側から見て示した斜視図である。
【図６】挿入時におけるカードの別の姿勢を示した斜視図である。
【図７】爪部の変形例を示した拡大正面図である。
【図８】（Ａ）（Ｂ）挿入時におけるカードの別の姿勢を示した斜視図である。
【図９】第２実施形態に係るカード処理ユニットの構成に示した概念図である。
【図１０】カード処理に関連する制御ユニットの構成を示したブロック図である。
【図１１】接触式ＩＣカードに対するカード処理の一連の流れを示したフローチャートである。
【図１２】（Ａ）〜（Ｄ）カード処理の実行時における反転部及びカードの動きを示した図である。
【図１３】磁気カードに対するカード処理の一連の流れを示したフローチャートである。
【図１４】ＩＣ接点と磁気ストライプとの両方を備えたカードに対するカード処理の一連の流れを示したフローチャートである。
【発明を実施するための形態】
【００１８】
図１は、本発明のカード処理ユニットを適用することが可能な券売機の構成を示したブロック図である。図２は、券売機を概念的に示した正面図である。図１及び図２に示す様に、券売機は、表示ユニット１と、操作ユニット２と、発券ユニット３と、貨幣処理ユニット４と、カード処理ユニット５と、ＰＩＮパッド６と、通信ユニット７と、これらのユニットにケーブル等の信号伝送路で接続された制御ユニット８と、を備える。券売機は、駅に設置され、定期券、切符、回数券等の乗車券を利用者に発行する。更に、券売機は、乗車券の発行にかかる取引金額を貨幣で精算する貨幣処理と、当該取引金額をクレジットカードで決済する決済処理とを行うことができる。ここで、貨幣は、硬貨及び紙幣の総称である。
【００１９】
ここで、クレジットカードには、表面に磁気ストライプ（特許請求の範囲に記載の「磁気記録部」に相当）が設けられた磁気カードと、ＩＣが内蔵されたＩＣカードと、が存在する。ＩＣカードには、表面にＩＣ接点が設けられた接触式のものと、アンテナコイルが内蔵された非接触式のものと、が存在する。又、クレジットカードには、ＩＣと磁気ストライプとの両方を備えたものも存在する。
【００２０】
表示ユニット１は、券売機本体（以下、単に「本体」と称す）の正面に設けられた表示器１１を有し、当該表示器１１の画面表示を制御する。
【００２１】
操作ユニット２は、購入する乗車券の情報（以下、「乗車券情報」と称す）を入力するための入力デバイスを有する。入力デバイスには、表示器１１に貼付されたタッチパネル２１や、押し釦スイッチ２２などが含まれる。操作ユニット２は、タッチパネル２１における利用者の入力操作（利用者が指で押下したタッチパネル２１上の押下位置）を検出し、検出した押下位置に応じた入力操作データを制御ユニット８に出力する。また、操作ユニット２は、利用者が押下した押し釦スイッチ２２に応じた入力操作データを制御ユニット８に出力する。
【００２２】
発券ユニット３は、乗車券を発行する発券処理を行う。券売機には、本体正面に発券口３１が設けられおり、発券ユニット３は、発行した乗車券を発券口３１から排出する。
【００２３】
貨幣処理ユニット４は、利用者が投入した貨幣を受け付け、乗車券の発行にかかる取引金額を超えた額を受け付けた場合には釣銭を排出する。精算に用いられる貨幣のうち、硬貨は、本体正面に設けられた硬貨投入口４１Ａから投入され、紙幣は、本体正面に設けられた紙幣投入口４２Ａから投入される。又、釣銭のうち、硬貨は、本体正面に設けられた釣銭硬貨受皿４１Ｂから排出され、紙幣は、本体正面に設けられた紙幣排出口４２Ｂから排出される。貨幣処理ユニット４は、利用者が投入した貨幣や、利用者に戻す釣銭について、金種や真偽を識別する貨幣識別部（不図示）を有している。
【００２４】
カード処理ユニット５は、クレジットカードが挿入される挿入口５１を有し、当該挿入口５１から挿入されたカードを内部に取り込み、取り込んだカードに記録されているカード情報（カードデータ）を読み取る。カード処理ユニット５は、カードから読み取ったカード情報を制御ユニット８に出力し、決済処理の完了後、カードを挿入口５１から排出して利用者に返却する。尚、カード処理ユニット５の詳細については後述する。
【００２５】
ＰＩＮ（Personal  Identification  Number）パッド６は、乗車券情報の入力操作や、カード決済時の認証コードの入力操作等に用いられる。
【００２６】
通信ユニット７は、ネットワークを介して、各種サーバ等の機器との間で通信を行う。一例として、通信ユニット７は、カード決済時の認証を行う認証サーバとの間で通信を行うことにより、当該認証サーバに対して認証要求を行う。認証サーバは、認証要求に応じてカード認証を行い、認証結果を通信ユニット７へ返す。尚、通信ユニット７は、自動改札機（不図示）や他の券売機等の駅務機器との間でも通信を行う。
【００２７】
制御ユニット８は、ＣＰＵ（Central  Processing  Unit）やマイクロコンピュータ等の処理装置である。制御ユニット８は、カード認証が正常に完了したとき、決済処理を実行する。
【００２８】
以下、カード処理ユニット５の詳細について、具体的に説明する。尚、以下に説明するカード処理ユニット５の各部構成は、券売機に限らず、カードでの決済が可能な様々な機器にも適用することができ、又、クレジットカードに限定されない様々なカードを処理する機器にも適用することができる。
【００２９】
［１］第１実施形態
図３は、第１実施形態に係るカード処理ユニット５の構成を示した概念図である。図３に示す様に、カード処理ユニット５は、挿入口５１から挿入されたクレジットカード用の搬送路５２と、当該搬送路５２に沿ってクレジットカードを搬送するための複数の搬送ローラ５３と、を備える。尚、以下では、搬送ローラ５３の回転について、搬送路５２に沿ってカード９を各種読取部（磁気読取部５４Ａ等）の方へ向けて移動させる回転を「正回転」とし、搬送路５２に沿ってカード９を挿入口５１の方へ向けて移動させる回転を「逆回転」とする。
【００３０】
又、カード処理ユニット５には、券売機等での決済に使用可能なカードの種類ごとに、対応するカードの情報を読み取る読取部が設けられている。本実施形態では、カード処理ユニット５は、磁気ストライプに記録されているカード情報を読み取る磁気読取部５４Ａと、ＩＣ接点を通じてＩＣ内のカード情報を読み取る接触式ＩＣ読取部５４Ｂと、アンテナコイルを通じてＩＣ内のカード情報を読み取る非接触式ＩＣ読取部５４Ｃと、を備える。尚、カード処理ユニット５には、これらの読取部の１つ又は幾つかが、使用可能なカードの種類に応じて選択的に設けられていてもよい。
【００３１】
磁気読取部５４Ａは、カード情報を読み取るときの磁気カードの姿勢が正しかった場合、磁気ストライプに記録されている情報列（カード情報）を先頭から正しく読み取ることができる。一方、磁気カードの姿勢が前後を逆にした姿勢であった場合、磁気読取部５４Ａは、磁気ストライプに記録されている情報列を正しく読み取ることができず、制御ユニット８によってエラーと判断される。
【００３２】
接触式ＩＣ読取部５４Ｂは、ＩＣカードが正しい姿勢で読取実行位置に配されたときにＩＣ接点に接触させることが可能な接続端子を有する。よって、読取実行位置でのＩＣカードの姿勢が正しい姿勢であった場合、接触式ＩＣ読取部５４Ｂは、接続端子をＩＣ端子に接触させることにより、ＩＣ接点を通じてＩＣ内のカード情報を読み取ることができる。一方、読取実行位置でのＩＣカードの姿勢が誤った姿勢であった場合、接触式ＩＣ読取部５４Ｂは、接続端子をＩＣ接点に接触させることができない。このため、接触式ＩＣ読取部５４Ｂは、カード情報を正しく読み取ることができず、制御ユニット８によってエラーと判断される。
【００３３】
一方、非接触式ＩＣ読取部５４Ｃは、ＩＣカードの姿勢に拘わらず、アンテナコイルを通じてＩＣ内のカード情報を読み取ることができる。
【００３４】
図４（Ａ）及び（Ｂ）はそれぞれ、第１実施形態に係るカード処理ユニット５の要部を示した斜視図及び縦断面図である。図５（Ａ）は、挿入口５１の拡大正面図である。カード処理ユニット５は、挿入口５１へのクレジットカードの挿入を容易にするガイド部５５と、クレジットカードの挿入姿勢を規制する爪部５６と、を有する。尚、図５（Ｂ）は、爪部５６を底面側から見て示した斜視図である。
【００３５】
上述した様に、特に磁気カード及び接触式のＩＣカード（これらを組合せたカードを含む）では、それらの姿勢が、磁気読取部５４Ａ及び接触式ＩＣ読取部５４Ｂのそれぞれにおいてカード情報を正しく読み取るために重要である。即ち、これらのカードは、正しい姿勢（以下、この挿入姿勢を「第１姿勢」と称す）で挿入口５１に挿入されることが好ましい。一方、これらのカードは、表面にエンボスが設けられたものが多く、本発明者らは、そのエンボスを利用してカードの挿入姿勢を規制することを見出した。
【００３６】
よって、以下では、挿入口５１から挿入されるクレジットカードのうち、表面９ａにエンボス９１が設けられたカード９（図４（Ａ）及び（Ｂ）参照）が、爪部５６による挿入姿勢の規制対象とされる。特に、カード９の幅方向（短手方向）においてエンボス９１が片側へ偏在しているものが規制対象とされる。
【００３７】
ガイド部５５は、挿入時のカード９を下から支える路面５５ａと、挿入時におけるカード９の左右の移動を規制する側面５５ｂ及び５５ｃと、を有する。そして、ガイド部５５は、路面５５ａによって挿入口５１の下端縁が構成され、且つ、側面５５ｂ及び５５ｃのそれぞれによって挿入口５１の左右の側端縁が構成されている。
【００３８】
爪部５６は、挿入口５１を正面視したときに当該挿入口５１の上端縁５１ａから下方へ突出する様に設けられている。そして、爪部５６は、その先端５６ａと路面５５ａ（又は挿入口５１の下端縁）との間に、カード９の基材９２（図４（Ａ）及び（Ｂ）参照）の厚さＴ１以上且つエンボス９１を含めた厚さＴ２未満である隙間Ｇを形成している。
【００３９】
更に、爪部５６は、カード９の挿入時において、挿入方向Ｄｉにおけるエンボス９１の下流側の端縁が引っ掛かる形状を呈している。本実施形態では、爪部５６は、エンボス９１の端縁に当接する当接面５６ｂが形成された形状を呈している（図４（Ｂ）参照）。尚、爪部５６の形状は、当接面５６ｂが形成された形状に限らず、エンボス９１の端縁が引っ掛かるものであれば、尖端が形成された形状等、種々の形状へ変形することができる。
【００４０】
本実施形態では、爪部５６は、図５（Ａ）に示す様に、挿入口５１の幅方向Ｄｗにおいて片側へ偏在している。具体的には、挿入口５１への正しい挿入姿勢である第１姿勢（図４（Ａ）参照）でカード９が挿入されたときには、爪部５６にはエンボス９１が引っ掛からず、一方、第１姿勢から表面９ａの向きを変えずに（表面９ａを上向きにしたまま。即ち、裏面９ｂが路面５５ａに面接触する向きのまま）前後を逆にした第２姿勢（図６参照）でカード９が挿入されたときには、爪部５６にエンボス９１が引っ掛かる様に、爪部５６は設けられている。より具体的には、爪部５６は、幅方向Ｄｗにおける挿入口５１の中心から片側半分の領域Ｒ１内に形成される。当該領域Ｒ１内おいて、爪部５６は、図５（Ａ）に示す様に部分的に形成されてもよいし、図７に示す様に全域に形成されてもよい。
【００４１】
上記爪部５６によれば、挿入口５１にカード９が正しい第１姿勢で挿入される様に、当該カード９の姿勢を規制することができる。即ち、カード９が第１姿勢で挿入されたときには、エンボス９１は、正面視（図５（Ａ）参照）での領域Ｒ１とは別の領域Ｒ２内を通ることになる。このため、エンボス９１には爪部５６が引っ掛かることがなく、カード９の通過が許可される。一方、カード９が誤った第２姿勢で挿入されたときには、エンボス９１は、正面視（図５（Ａ）参照）での領域Ｒ１内を通ることになる。このため、エンボス９１に爪部５６が引っ掛かり、カード９の通過が阻止される。従って、利用者は、カード９を誤った第２姿勢で挿入口５１に挿入したことを挿入時に認識することができ、即座にカード９を正しい第１姿勢に変えて挿入し直すことができる。
【００４２】
よって、本実施形態のカード処理ユニット５によれば、カード９が誤った第２姿勢のままで内部に取り込まれることが防止される。その結果、利用者がカード９を誤った姿勢で挿入してしまった場合でも、再挿入に要する時間が短縮化される。従って、利用者がカード９の挿入を開始してからカード処理が完了するまでに要する時間が、短縮化される。
【００４３】
又、利用者による再挿入を可能にするためには、爪部５６は、挿入方向Ｄｉにおいて、カード９全体が挿入口５１内に挿入されるまでにエンボス９１が引っ掛かる位置に配されていることが好ましい。これにより、カード９の通過が阻止されたとき、カード９は、その一部が挿入口５１から外に出た状態で止まることになる。更に、利用者による再挿入を容易にするためには、爪部５６は、挿入方向Ｄｉにおいて、カード９の半分が挿入口５１内に挿入されるまでにエンボス９１が引っ掛かる位置に配されていることが好ましい（図４（Ｂ）参照）。具体的には、爪部５６は、エンボス９１が当接する位置から挿入口５１までの距離Ｌが、カード９の長さ（長手方向の長さ）の半分よりも小さくなる様に配される。この様な位置に爪部５６が配されることにより、カード９の通過が阻止されたとき、カード９は、その半分以上が挿入口５１から外に出た状態で止まることになる。よって、利用者にとって、挿入口５１からのカード９の抜取りが容易になる。
【００４４】
［２］第２実施形態
第１実施形態において、カード９が、裏面９ｂを上向きして（即ち、表面９ａを路面５５ａの方へ向けて。図８（Ａ）及び（Ｂ）参照）挿入口５１に挿入された場合には、カード９の挿入姿勢が以下の様に規制される。
【００４５】
即ち、第１姿勢から前後を逆にすると共に裏面９ｂを上向きにした第３姿勢（図８（Ａ）参照）でカード９が挿入されたとき、エンボス９１は、正面視（図５（Ａ）参照）での領域Ｒ２内を通ることになる。このとき、路面５５ａと爪部５６との間の隙間Ｇには、カード９のうちのエンボス９１が形成されていない部分が通される。このため、第３姿勢のときには、カード９の通過が許可される。
【００４６】
一方、第１姿勢から前後を変えずに裏面９ｂを上向きにした第４姿勢（図８（Ｂ）参照）でカード９が挿入されたとき、エンボス９１は、正面視（図５（Ａ）参照）での領域Ｒ１内を通ることになる。このとき、カード９のうちの特にエンボス９１が形成された部分は、厚さＴ２が、路面５５ａと爪部５６との間の隙間Ｇより大きいため、当該隙間Ｇを通過することができない。このため、第４姿勢のときには、カード９の通過が阻止される。
【００４７】
上記第３姿勢は、通過が許可される姿勢ではあるが、そのままでは磁気読取部５４Ａ及び接触式ＩＣ読取部５４Ｂでのカード情報の読取りがエラーとなる姿勢である。そこで、カード処理ユニット５は、内部に取り込んだカード９の姿勢を正しい第１姿勢に変える機構を備えていてもよい。これを第２実施形態として、以下、具体的に説明する。
【００４８】
図９は、第２実施形態に係るカード処理ユニット５の構成に示した概念図である。図９に示す様に、カード処理ユニット５は、カード９を反転させる反転部５７を更に備える。反転部５７は、挿入口５１から挿入されたカード９の表面９ａの向きが第１姿勢のときの向きと逆であったとき、第１姿勢となる様にカード９を反転させる。本実施形態では、反転部５７は、挿入口５１と、各種読取部（磁気読取部５４Ａ等）との間に配されている。
【００４９】
反転部５７は、ベルト部５７１と、ローラ部５７２と、回転駆動部５７３と、を有する。ベルト部５７１とローラ部５７２とは、これらの間に、搬送路５２の一部となる通路５２１を形成している。
【００５０】
ベルト部５７１は、駆動ローラ５７１Ａと、従動ローラ５７１Ｂと、これらに張架された搬送ベルト５７１Ｃと、を有し、当該搬送ベルト５７１Ｃは、駆動ローラ５７１Ａの回転に応じて周回する。駆動ローラ５７１Ａは、正回転と逆回転とを選択的に行うことが可能なローラであり、搬送ベルト５７１Ｃは、駆動ローラ５７１Ａと同方向に回転する。
【００５１】
以下では、駆動ローラ５７１Ａ及び搬送ベルト５７１Ｃの回転について、通路５２１に対してベルト部５７１が下側に配されているときを基準として、通路５２１に沿ってカード９を各種読取部（磁気読取部５４Ａ等）の方へ向けて移動させる回転を「正回転」とし、通路５２１に沿ってカード９を挿入口５１の方へ向けて移動させる回転を「逆回転」とする。よって、通路５２１に対してベルト部５７１が上側に配されているときには、搬送ベルト５７１Ｃを正回転させることで、カード９は、各種読取部（磁気読取部５４Ａ等）の方へ向けて移動し、搬送ベルト５７１Ｃを逆回転させることで、カード９は、挿入口５１の方へ向けて移動する。
【００５２】
ローラ部５７２は、通路５２１を挟んで搬送ベルト５７１Ｃに対向配置された一対のローラ５７２Ａ及び５７２Ｂを含む。ローラ５７２Ａ及び５７２Ｂは、それらの間の距離がカード９の長さ（長手方向の長さ）より小さく、且つ、搬送ベルト５７１Ｃに適度な圧力が加わる様に、配されている。よって、カード９は、搬送ベルト５７１Ｃの周回により、通路５２１に沿って円滑に搬送される。又、カード９が、通路５２１内においてローラ５７２Ａ及び５７２Ｂの何れとも接触する所定位置に停止したとき（図１２（Ｂ）参照）、ベルト部５７１とローラ部５７２とによって適度な圧力で挟持されることになる。
【００５３】
回転駆動部５７３は、ベルト部５７１及びローラ部５７２を回転軸５７３ａ周りに１８０°回転（即ち、反転）させることにより、ベルト部５７１及びローラ部５７２の上下を入れ替える。ここで、回転の中心となる回転軸５７３ａは、駆動ローラ５７１Ａ等の各種ローラに平行で、且つ、通路５２１上の位置（好ましくは、カード９の搬送方向における中間位置）に一致する様に、設定されている。よって、回転駆動部５７３によってベルト部５７１及びローラ部５７２の上下を入れ替えた場合でも、通路５２１は、その位置が殆ど変わることがなく（図１２（Ｂ）及び（Ｃ）参照）、従って、搬送路５２の他の部分との間に段差が殆ど生じない。
【００５４】
以下では、反転部５７の回転姿勢のうち、通路５２１に対してベルト部５７１が下側に配された姿勢を「基準姿勢」とし、通路５２１に対してベルト部５７１が上側に配された姿勢を「反転姿勢」とする。
【００５５】
上記反転部５７によれば、カード９が第３姿勢（図８（Ａ））で内部に取り込まれた場合でも、基準姿勢での通路５２１内の所定位置にカード９を停止させ、この状態で反転部５７を反転姿勢となる様に回転させることにより、カード９の姿勢を、第３姿勢から第１姿勢へ変化させることができる。このとき、カード９は、通路５２１内の所定位置にてベルト部５７１とローラ部５７２とによって挟持されているので、反転部５７の回転時に通路５２１から脱落することがない。その後、搬送ベルト５７１Ｃを逆回転させることにより、第１姿勢となったカード９を、各種読取部（磁気読取部５４Ａ等）の方へ移動させることができる。
【００５６】
上述したカード９に対する反転処理は、制御ユニット８が反転部５７を制御することにより実行される。以下、反転処理の詳細について、説明する。
【００５７】
図１０は、カード処理に関連する制御ユニット８の構成を示したブロック図である。図１０に示す様に、制御ユニット８は、搬送処理部８１と、読取処理部８２と、判断処理部８３と、反転処理部８４と、認証処理部８５と、決済処理部８６と、を含む。尚、カード処理に関連するこれらの処理部は、カード処理ユニット５に含まれていてもよい。
【００５８】
以下に説明するカード処理は、対応するプログラムを制御ユニット８やカード処理ユニット５に実行させることにより、実現されてもよい。そして、その様なプログラムは、読取り可能な状態で携帯型メモリ（例えば、フラッシュメモリ等）に記憶されてもよいし、券売機等の機器が備える記憶部（不図示）に記憶されてもよい。
【００５９】
先ず、カード９が接触式ＩＣカードである場合のカード処理について、説明する。図１１は、この場合のカード処理の一連の流れを示したフローチャートである。又、図１２（Ａ）〜（Ｄ）は、カード処理の実行時における反転部５７及びカード９の動作を示した概念図である。
【００６０】
挿入口５１から挿入されたカード９は、その姿勢が第１姿勢又は第３姿勢である場合、爪部５６を通過して内部に取り込まれる。そして、搬送処理部８１が、搬送ローラ５３及び搬送ベルト５７１Ｃを正回転させることにより、カード９を、接触式ＩＣ読取部５４Ｂに対応する読取実行位置まで搬送して停止させる（ステップＳ１１及び図１２（Ａ））。このとき、反転部５７は、基準姿勢の状態で、カード９を搬送する搬送部として機能している。
【００６１】
その後、読取処理部８２が、接触式ＩＣ読取部５４Ｂを制御することにより、接続端子を降下させてＩＣ接点９３（図４（Ａ）参照）への接触を試みる（ステップＳ１２）。そして、ＩＣ接点９３に接続端子が接触した場合、ＩＣ接点９３が接触式ＩＣ読取部５４Ｂによって検知される。
【００６２】
ステップＳ１２の実行時又は実行直後に、判断処理部８３が、読取処理部８２によってＩＣ接点９３が検知されたか否かを判断する（ステップＳ１３）。カード９が第１姿勢で挿入された場合には、接続端子をＩＣ接点９３に接触させることができるため、ステップＳ１３では「ＩＣ接点９３が検知された（Ｙｅｓ）」と判断される。一方、カード９が第３姿勢で挿入された場合には、接続端子をＩＣ接点９３に接触させることができないため、ステップＳ１３では「ＩＣ接点９３が検知されない（Ｎｏ）」と判断される。
【００６３】
即ち、ステップＳ１３での判断処理により、挿入口５１から挿入されたカード９の姿勢が第１姿勢及び第３姿勢の何れであるのかが判断される。尚、ステップＳ１３での判断処理は、カード９を読取実行位置に停止させる前に、例えば、ＩＣ接点９３を光センサ等で光学的に検知し、その検知結果に基づいて行われてもよい。
【００６４】
ステップＳ１３にて「ＩＣ接点９３が検知された（Ｙｅｓ）」と判断された場合、読取処理部８２が、接触式ＩＣ読取部５４Ｂを制御することにより、ＩＣ接点９３を通じてＩＣ内のカード情報の読取りを実行する（ステップＳ１４）。カード情報の読取りの完了後、当該カード情報を用いて、認証処理部８５がカード認証処理を実行し（ステップＳ１５）、カード認証が正常に完了したとき、決済処理部８６が決済処理を実行する（ステップＳ１６）。
【００６５】
その後、読取処理部８２が、接触式ＩＣ読取部５４Ｂを制御することにより、接続端子を上昇させることで当該接続端子をＩＣ接点９３から離間させる。それから、搬送処理部８１が、搬送ローラ５３及び搬送ベルト５７１Ｃを逆回転させることにより、カード９を、読取実行位置から挿入口５１まで搬送して当該挿入口５１から排出する（ステップＳ１７）。
【００６６】
一方、ステップＳ１３にて「ＩＣ接点９３が検知されない（Ｎｏ）」と判断された場合、読取処理部８２が、接触式ＩＣ読取部５４Ｂを制御することにより、接続端子を上昇させることで当該接続端子をカード９から離間させる。その後、搬送処理部８１が、搬送ローラ５３及び搬送ベルト５７１Ｃを逆回転させることにより、カード９を、反転部５７における通路５２１内の所定位置まで戻して停止させる（ステップＳ１８及び図１２（Ｂ））。
【００６７】
その後、反転処理部８４が、反転部５７を制御することにより、当該反転部５７を、反転姿勢となる様に回転軸５７３ａ周りに１８０°回転させる（ステップＳ１９及び図１２（Ｃ））。これにより、ベルト部５７１及びローラ部５７２の上下が入れ替えられ、これに伴って、カード９も反転し、カード９の姿勢が、第３姿勢から第１姿勢に変化する。即ち、カード９の姿勢が、接触式ＩＣ読取部５４Ｂでのカード情報の読取りが可能となる正しい姿勢となる。
【００６８】
その後、搬送処理部８１が、搬送ベルト５７１Ｃを逆回転させることにより、第１姿勢となったカード９を、接触式ＩＣ読取部５４Ｂの方へ移動させる。更に、搬送処理部８１は、少なくとも反転部５７と接触式ＩＣ読取部５４Ｂとの間に配された搬送ローラ５３を正回転させることにより、反転部５７から排出されたカード９を、接触式ＩＣ読取部５４Ｂに対応する読取実行位置まで搬送して停止させる（ステップＳ２０及び図１２（Ｄ））。
【００６９】
その後、反転処理部８４が、反転部５７を制御することにより、当該反転部５７を、基準姿勢となる様に回転軸５７３ａ周りに１８０°回転させる（ステップＳ２１及び図１２（Ａ））。このときの反転部５７の回転方向は、ステップ１８での回転方向と同じであってもよいし、逆方向であってもよい。図１１では、逆方向（逆反転）である場合が示されている。
【００７０】
ステップＳ２１の実行後、ステップＳ１２からの処理が実行され、ステップＳ１６での決済処理の完了後、ステップＳ１７にて挿入口５１からカード９が排出されることで、カード処理が完了する。
【００７１】
次に、カード９が磁気カードである場合のカード処理について、説明する。図１３は、この場合のカード処理の一連の流れを示したフローチャートである。挿入口５１からカード９が挿入されると、搬送処理部８１は、搬送ローラ５３及び搬送ベルト５７１Ｃを正回転させることにより、カード９を、磁気読取部５４Ａに対応する読取実行位置まで搬送する（ステップＳ３１）。
【００７２】
その後、読取処理部８２が、磁気読取部５４Ａを制御することにより、磁気ストライプ９４（図８（Ａ）及び（Ｂ）参照）に記録されている情報列の読取りを行う（ステップＳ３２）。磁気読取部５４Ａは、搬送路５２の上側及び下側の何れか一方にのみ配されていてもよいし、両方に１つずつ配されていてもよい。本実施形態では、搬送路５２の下側に磁気読取部５４Ａが配されている。
【００７３】
そして、判断処理部８３が、磁気読取部５４Ａによって磁気ストライプ９４が正しく検知されたか否かを判断する（ステップＳ３３）。具体的には、判断処理部８３は、磁気ストライプ９４に記録されている情報列が、磁気読取部５４Ａによって先頭から正しく読み取られたか否かを判断する。カード９が第１姿勢で挿入された場合には、情報列が先頭から正しく読み取られるため、ステップＳ３３では「磁気ストライプ９４が正しく検知された（Ｙｅｓ）」と判断される。一方、カード９が第３姿勢で挿入された場合には、磁気読取部５４Ａは情報列を正しく読み取ることができないため、ステップＳ３３では「磁気ストライプ９４が正しく検知されない（Ｎｏ）」と判断される。
【００７４】
即ち、ステップＳ３３での判断処理により、挿入口５１から挿入されたカード９の姿勢が第１姿勢及び第３姿勢の何れであるのかが判断される。
【００７５】
ステップＳ３３にて「磁気ストライプ９４が正しく検知された（Ｙｅｓ）」と判断された場合、磁気読取部５４Ａで読み取られた情報列（カード情報）を用いて、認証処理部８５がカード認証処理を実行する（ステップＳ３４）。その後、上述したステップＳ１６及びＳ１７の処理（図１１参照）が実行される。
【００７６】
一方、ステップＳ３３にて「磁気ストライプ９４が正しく検知されない（Ｎｏ）」と判断された場合、上述したステップＳ１８及びＳ１９の処理（図１１参照）が実行される。その後、搬送処理部８１が、搬送ベルト５７１Ｃを逆回転させることにより、第１姿勢となったカード９を、磁気読取部５４Ａの方へ移動させる。更に、搬送処理部８１は、少なくとも反転部５７と磁気読取部５４Ａとの間に配された搬送ローラ５３を正回転させることにより、反転部５７から排出されたカード９を、磁気読取部５４Ａに対応する読取実行位置まで搬送する（ステップＳ３５）。
【００７７】
ステップＳ３５の実行後、ステップＳ３２からの処理が実行され、ステップＳ１６での決済処理の完了後、ステップＳ１７にて挿入口５１からカード９が排出されることで、カード処理が完了する。
【００７８】
更に、カード９が、ＩＣ接点９３と磁気ストライプ９４との両方を備えたものである場合のカード処理について、説明する。図１４は、この場合のカード処理の一連の流れを示したフローチャートである。この場合、先ずステップＳ３１〜Ｓ３３において、磁気ストライプ９４に記録されている情報列の読取りが行われることにより、挿入口５１から挿入されたカード９の姿勢が第１姿勢及び第３姿勢の何れであるのかが判断される。即ち、磁気ストライプ９４を用いて、カード９の姿勢が判断される。そして、ステップＳ３３にてカード９の姿勢が第３の姿勢であると判断された場合、ステップＳ１８からの処理が実行されることにより、カード９の反転処理が実行される。
【００７９】
一方、ステップＳ３３にてカード９の姿勢が第１の姿勢であると判断された場合、搬送処理部８１が、搬送ローラ５３を正回転させることにより、カード９を、接触式ＩＣ読取部５４Ｂに対応する読取実行位置まで搬送して停止させる（ステップＳ４１）。その後、読取処理部８２が、接触式ＩＣ読取部５４Ｂを制御することにより、接続端子を降下させて当該接続端子をＩＣ接点９３に接触させる（ステップＳ４２）。そして、ＩＣ接点９３に接続端子を接触させた状態で、読取処理部８２が、接触式ＩＣ読取部５４Ｂを制御することにより、ＩＣ接点９３を通じてＩＣ内のカード情報の読取りを実行する（ステップＳ４３）。その後、カード認証処理を含むステップＳ１５からの処理が実行される。
【００８０】
上記カード処理によれば、カード９が第３姿勢で挿入された場合でも、カード９を反転させることでカード９の姿勢を正しい第１姿勢に変化させることができ、且つ、第１姿勢となったカード９に対するカード情報の読取りを実行することができる。よって、カード９を利用者に返却して再挿入を促す必要がなく、従って、利用者がカード９の挿入を開始してからカード処理が完了するまでに要する時間が、短縮化される。
【００８１】
尚、上記カード処理において、挿入口５１から挿入されたカード９の姿勢が第１姿勢及び第３姿勢の何れであるのかの判断（ステップＳ１３及びＳ３３）は、カード９の表面９ａ又は裏面９ｂに形成されたホログラムや各種マークをセンサで検知し、その検知結果に基づいて行われてもよい。
【００８２】
又、上述したカード処理は、接触式ＩＣカードに対する処理（図１１参照）と磁気カードに対する処理（図１３参照）とを組み合わせたものであってもよい。更に、カード９が、ＩＣ接点９３と磁気ストライプ９４との両方を備えたものである場合、磁気ストライプ９４に、ＩＣ接点９３を備えたカードであることを示す情報を記録しておいてもよい。そして、その情報が磁気読取部５４Ａで読み取られた場合であって、且つ、ステップＳ１３にて「ＩＣ接点９３が検知されない（Ｎｏ）」と判断された場合に、反転処理（ステップＳ１９）を実行してもよい。これにより、カード９が第３姿勢であるか否かを、より精度良く判断することが可能になる。
【００８３】
上記カード処理において、反転部５７の回転姿勢のうち、通路５２１に対してベルト部５７１が上側に配された姿勢を「基準姿勢」とし、通路５２１に対してベルト部５７１が下側に配された姿勢を「反転姿勢」としてもよい。この場合、駆動ローラ５７１Ａ及び搬送ベルト５７１Ｃの回転について、次の様に規定することにより、上述したカード処理をそのまま適用することができる。即ち、通路５２１に対してベルト部５７１が上側に配されているときを基準として、通路５２１に沿ってカード９を各種読取部（磁気読取部５４Ａ等）の方へ向けて移動させる回転を「正回転」とし、通路５２１に沿ってカード９を挿入口５１の方へ向けて移動させる回転を「逆回転」とする。
【００８４】
反転部５７は、カード９の搬送及び反転を選択的に行うことができるものであれば、上記構成に限らず、適宜変更することができる。
【符号の説明】
【００８５】
１  表示ユニット
２  操作ユニット
３  発券ユニット
４  貨幣処理ユニット
５  カード処理ユニット
６  ＰＩＮパッド
７  通信ユニット
８  制御ユニット
９  カード
９ａ  表面
９ｂ  裏面
１１  表示器
２１  タッチパネル
２２  押し釦スイッチ
３１  発券口
４１Ａ  硬貨投入口
４１Ｂ  釣銭硬貨受皿
４２Ａ  紙幣投入口
４２Ｂ  紙幣排出口
５１  挿入口
５１ａ  上端縁
５２  搬送路
５３  搬送ローラ
５４Ａ  磁気読取部
５４Ｂ  接触式ＩＣ読取部
５４Ｃ  非接触式ＩＣ読取部
５５  ガイド部
５５ａ  路面
５５ｂ、５５ｃ  側面
５６  爪部
５６ａ  先端
５６ｂ  当接面
５７  反転部
８１  搬送処理部
８２  読取処理部
８３  判断処理部
８４  反転処理部
８５  認証処理部
８６  決済処理部
９１  エンボス
９２  基材
９３  ＩＣ接点
９４  磁気ストライプ
５２１  通路
５７１  ベルト部
５７１Ａ  駆動ローラ
５７１Ｂ  従動ローラ
５７１Ｃ  搬送ベルト
５７２  ローラ部
５７２Ａ、５７２Ｂ  ローラ
５７３  回転駆動部
５７３ａ  回転軸
Ｄｉ  挿入方向
Ｄｗ  幅方向
Ｇ  隙間
Ｌ  距離
Ｒ１、Ｒ２  領域
Ｔ１、Ｔ２  厚さ
【図１】
2018156170.tif 000003
【図２】
2018156170.tif 000004
【図３】
2018156170.tif 000005
【図４】
2018156170.tif 000006
【図５】
2018156170.tif 000007
【図６】
2018156170.tif 000008
【図７】
2018156170.tif 000009
【図８】
2018156170.tif 000010
【図９】
2018156170.tif 000011
【図１０】
2018156170.tif 000012
【図１１】
2018156170.tif 000013
【図１２】
2018156170.tif 000014
【図１３】
2018156170.tif 000015
【図１４】
2018156170.tif 000016